(57)【要約】【課題】従来、ハードディスクレコーダ等の録画再生装置において、現在放送中の番組を選択し録画設定する際に、録画番組が現在視聴している番組と異なる場合には、受信チャンネルを録画番組を放送しているチャンネルに切換える必要があった。【解決方法】放送受信部と、視聴出力部と、録画命令受付部と、受付けた録画命令に基づいて番組を録画する録画部と、録画命令で受付けた番組が現在裏番組であるか判断する判断部と、現在裏番組であるとの判断結果である場合には、受信チャンネルの切換の確認を含む趣旨のメッセージを出力する確認メッセージ出力部とを有する録画再生装置を提案する。【選択図】図１
2009081573.tif 000002
【特許請求の範囲】
【請求項１】
放送受信部と、
受信した放送を録画する録画部と、
受信している放送番組を視聴のために出力する視聴出力部と、
録画命令を受付ける録画命令受付部と、
録画命令で受付けた番組が現在放送中でかつ視聴出力部から出力されていない放送番組である現在裏番組であるか判断する判断部と、
判断部での判断結果が現在裏番組であるとの判断結果である場合には、受信チャンネルの切換の確認を含む趣旨のメッセージを出力する確認メッセージ出力部と、を有する録画再生装置。
【請求項２】
確認メッセージ出力部は、出力するメッセージとして、「録画する」、「録画しない」を選択するためのメッセージを出力する第一出力手段を有する請求項１に記載の録画再生装置。
【請求項３】
確認メッセージ出力部は、出力するメッセージとして、「受信する」、「受信しない」を選択するためのメッセージを出力する第二出力手段を有する請求項１に記載の録画再生装置。
【請求項４】
確認メッセージ出力部は、出力するメッセージとして、「録画する」、「受信する」、「受信しない」を選択するためのメッセージを出力する第三出力手段を有する請求項１に記載の録画再生装置。
【請求項５】
放送受信部と、
受信した放送を録画する録画部と、
受信している放送番組を視聴のために出力する視聴出力部と、
録画命令を受付ける録画命令受付部と、
録画命令で受付けた番組が現在放送中でかつ視聴出力部から出力されていない放送番組である現在裏番組であるか判断する判断部と、
を有し、
前記放送受信部は複数のチューナを備え、判断部での判断結果が現在裏番組であるとの判断結果である場合に視聴出力部に放送番組を出力していないチューナにて現在裏番組を受信するとともに受信した現在裏番組を録画するように放送受信部と録画部とを制御可能な制御部をさらに有する録画再生装置。
【請求項６】
判断部での判断結果が現在裏番組であるとの判断結果である場合には、受信チャンネルの切換の確認を含む趣旨のメッセージを出力する確認メッセージ出力部をさらに有する請求項５に記載の録画再生装置。
【請求項７】
確認メッセージ出力部は、出力するメッセージとして、「裏録する」、「録画する」、「受信する」、「受信しない」を選択するためのメッセージを出力する第四出力手段を有する請求項６に記載の録画再生装置。
【請求項８】
ディスプレイ装置が接続される録画再生装置であって、
放送を受信する放送受信ステップと、
放送受信ステップにて受信した放送を録画する録画ステップと、
放送受信ステップにて受信している放送番組を視聴のために出力する視聴出力ステップと、
録画命令を受付ける録画命令受付ステップと、
録画命令受付ステップにて録画命令で受付けた番組が現在放送中でかつ視聴出力部から出力されていない放送番組である現在裏番組であるか判断する判断ステップと、
判断ステップでの判断結果が現在裏番組であるとの判断結果である場合には、受信チャンネルの切換の確認を含む趣旨のメッセージを出力する確認メッセージ出力ステップと、
を有する録画再生装置の動作方法。
【請求項９】
ディスプレイ装置が接続される録画再生装置であって、
放送を受信する放送受信ステップと、
放送受信ステップにて受信した放送を録画する録画ステップと、
放送受信ステップにて受信している放送番組を視聴のために出力する視聴出力ステップと、
録画命令を受付ける録画命令受付ステップと、
録画命令受付ステップにて録画命令で受付けた番組が現在放送中でかつ視聴出力部から出力されていない放送番組である現在裏番組であるか判断する判断ステップと、
を有し、
前記放送受信ステップは複数のチューナを備え、判断ステップでの判断結果が現在裏番組であるとの判断結果である場合に視聴出力ステップに放送番組を出力していないチューナにて現在裏番組を受信するとともに受信した現在裏番組を録画するように放送受信ステップと録画ステップとを制御可能な制御ステップをさらに有する録画再生装置の動作方法。
【発明の詳細な説明】
【技術分野】
【０００１】
現在放送中の番組を録画する際に、かかる番組が受信している番組と異なる場合、表示画面に録画を開始するか否かを確認するメッセージを表示する録画再生装置に関する。
【背景技術】
【０００２】
従来、ハードディスクレコーダやＤＶＤレコーダ等の録画再生装置においては、現在放送中のテレビ番組等のコンテンツを録画する機能を有しており、この録画設定がなされると、チューナは録画対象のチャンネルを受信し、録画を開始する。
【発明の開示】
【発明が解決しようとする課題】
【０００３】
しかしながら、録画再生装置において、電子番組表などから現在放送中の番組を選択し録画設定する際に、該番組が現在視聴している番組と異なる場合には、受信チャンネルを録画番組を放送しているチャンネルに切換える必要があった。また、チャンネルの切換えが不要な場合であっても、録画設定すると、表示画面が視聴していた番組から録画対象の番組へ自動的に切換わるようになっていた。
【特許文献１】特開２００３−２７４３４４
【課題を解決するための手段】
【０００４】
そこで本発明においては、録画命令を受付け、その録画対象番組が現在放送中であってかつ現在受信している番組と異なると判断した場合に、受信番組が録画対象番組に切り換ることを確認するメッセージを表示し、ユーザに録画をするか否かを選択させることを特徴とする録画再生装置を提案する。また、録画再生装置が複数のチューナを備える場合には、出力していないチューナにて録画対象番組である現在裏番組を受信し録画することを確認するメッセージを表示し、ユーザに録画をするか否かを選択させることを特徴とする録画再生装置を提案する。
【発明の効果】
【０００５】
本発明の録画再生装置は、現在受信している番組と録画対象番組が異なる場合に、ユーザに録画するか否かを選択させる確認メッセージを提示するため、視聴番組が突然切り換ることを防止することができる。
【発明を実施するための最良の形態】
【０００６】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は請求項１から４、８などに関する。実施形態２は請求項５から７、９などに関する。
<<実施形態１>>
<実施形態１：概要>
【０００７】
本実施形態は、録画命令を受付け、その録画対象番組が現在放送中であってかつ現在受信している番組と異なると判断した場合に、受信番組を録画対象番組に切換えることを確認するメッセージを表示し、ユーザに録画をするか否かを選択させることを特徴とする録画再生装置について説明する。
【０００８】
図１は、本発明に係る録画再生装置を示す概念図である。本発明に係る録画再生装置（０１０１）は、まず、ユーザが録画再生装置（０１０１）において録画再生装置と接続されているテレビ等の表示装置（０１０２）で現在放送中の番組（6チャンネル）を視聴しているとする（場面（ａ））。その後、ユーザが表示装置（０１０２）に表示させた電子番組表から録画対象番組（4チャンネル）を選択したとする（場面（ｂ））。すると、録画再生装置（０１０１）では録画対象番組（4チャンネル）が現在放送中の番組であってかつ現在受信し視聴している番組（6チャンネル）と異なると判断し、録画するか否か、録画する場合には受信番組が録画対象番組（4チャンネル）に切換わることの確認メッセージを表示装置（０１０２）に対して出力する（場面（ｃ））。ユーザが録画することを選択した場合、受信番組（6チャンネル）が録画対象番組（4チャンネル）に切換わり、表示される（場面（ｄ））。
<実施形態１：構成>
【０００９】
本実施形態に係る録画再生装置の機能ブロック図を図２に示す。録画再生装置（０２００）は、「放送受信部」（０２０１）と、「録画部」（０２０３）と、「視聴出力部」（０２０２）と、「録画命令受付部」（０２０４）と、「判断部」（０２０５）と、「確認メッセージ出力部」（０２０６）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。また、映像を処理するための各種のハードウェアが用いられる。（明細書の全体を通じて同様である。）
【００１１】
「放送受信部」（０２０１）は、放送により映像信号を受信する機能を有する。ここで「放送」には、一例として、アナログ地上波放送、ＢＳアナログ放送、デジタル地上波放送、ＢＳデジタル放送、ＣＳ放送などが挙げられる。また、受信は、インターネット放送、有線テレビ放送の受信も含む。放送受信部で受信された番組は、録画部、視聴出力部、判断部に出力されるなどして利用される。なおここでは、裏録することが出来ないチューナ構成を想定している。
【００１２】
「録画部」（０２０３）は、受信した放送を録画する機能を有する。前記放送受信部にて受信したコンテンツをＤＶＤメディアやハードディスク等の所定の記録デバイスに記録する。なお、録画する「コンテンツ」は主にテレビ番組等を想定しているが特定のものに限定する趣旨ではない。「コンテンツ」は、例えば、映像、音声、音楽等を含み、さらに、文字情報、アプリケーションプログラム、またはそれらの複合形で表現される情報等を含むものであってもよい。
【００１３】
「視聴出力部」（０２０２）は、受信している放送番組を視聴のために出力する機能を有する。出力部は、一例として、映像出力信号生成回路（ＡＶデコーダともいう）、ディスプレイドライバ、ディスプレイなどで構成されている。視聴出力部は、番組受信部で受信した番組をディスプレイの規格に適合するようにフォーマットを変換したりする。また視聴出力部は、一例として、テレビ入力、ビデオ入力、ＤＶＤ入力、ゲーム入力などの複数の入力を択一的に選択して出力するように構成されている。視聴出力部が番組を出力しているか否かを示す信号は、判断部に出力されるなどして利用される。
【００１４】
「録画命令受付部」（０２０４）は、録画命令を受付ける機能を有する。「録画命令」とは、録画開始日時、録画終了日時、チャンネル、コンテンツ名（番組名）、など、録画するコンテンツを特定した命令である。録画命令はユーザが録画予約画面において録画再生装置の操作キー等を操作することによって直接入力されてもよいし、電子番組表（ＥＰＧ）をクリックしたりＧコードを入力したりすること等によって、間接的にされてもよい。また録画命令は、現在放送中の番組録画と予約録画の両方を受付けることが可能である。受付けた録画命令は録画部や判断部に出力されて利用される。
【００１５】
「判断部」（０２０５）は、録画命令で受付けた番組が現在放送中でかつ視聴出力部から出力されていない放送番組である現在裏番組であるか判断する機能を有する。これは、本実施形態の録画再生装置が裏録することが出来ないチューナ構成を想定しているために、現在放送中でかつ視聴出力部から出力されている放送番組とは別に現在裏番組を録画することができないからである。「現在裏番組」とは、現在視聴出力部から出力されていない放送番組のことである。すなわち、同種のチューナで受信される放送であって、前記放送受信部が現在受信している放送番組とは異なる放送番組のことである。つまり現在受信している放送番組が例えばアナログ地上波放送の6チャンネルであった場合において、現在裏番組はアナログ地上波放送の４チャンネルが該当する。「裏録」とは、受信している番組はそのままに、該番組の現在裏番組を録画することである。
【００１６】
なお、「判断部」は、前記視聴出力部が出力している番組情報と、前記録画命令部が受付けた録画対象番組情報において、チャンネル情報のみを比較し、現在裏番組であるかを判断するように構成されていてもよい。判断結果は、確認メッセージ出力部に出力されて利用される。
【００１７】
「確認メッセージ出力部」（０２０６）は、判断部での判断結果が現在裏番組であるとの判断結果である場合には、受信チャンネルの切換の確認を含む趣旨のメッセージを出力する機能を有する。つまり、ユーザが録画設定をしようとした時点で、録画対象番組が現在裏番組である場合には、確認メッセージは出力されることになる。該出力は、例えばOSD（On  Screen  Display）出力が該当する。なお、ユーザが録画設定をしようとした時点では録画対象番組が現在裏番組ではない場合、すなわち現在放送中ではない放送番組を予約録画設定した場合には、確認メッセージは該録画対象番組が開始した際に、前記判断部が現在裏番組であるとの判断結果に基づいて確認メッセージが出力されるように構成されていてもよい。
【００１８】
なお、「確認メッセージ」には、受信チャンネルの切換の確認のメッセージ以外に、該録画対象番組が現在裏番組である旨を表示してもよく、また該録画対象番組の放送が開始した旨を表示してもよい。図３に録画対象番組が現在裏番組である場合に表示装置に表示される確認メッセージの一例を示す。「はい」のボタンを選択した場合、受信チャンネルが切換わり録画対象番組が出力され、録画が開始される。「いいえ」のボタンを選択した場合、受信チャンネルは切換わらず、録画は取消される。
【００１９】
また、録画再生装置は図４のような構成であってもよい。すなわち、録画再生装置（０４００）は、「放送受信部」（０４０１）と、「録画部」（０４０３）と、「視聴出力部」（０４０２）と、「録画命令受付部」（０４０４）と、「判断部」（０４０５）と、「確認メッセージ出力部」（０４０６）と、を有する。また、確認メッセージ出力部（０４０６）は「第一出力手段」（０４０７）を有する。
【００２０】
「第一出力手段」（０４０７）は、確認メッセージ出力部が出力するメッセージとして、「録画する」、「録画しない」を選択するためのメッセージを出力する機能を有する。図５（ａ）にその一例を示す。受信チャンネルの切換の確認メッセージに加え、録画対象番組である現在裏番組を録画するか否かを確認、選択させるメッセージを出力する。「録画する」のボタンを選択した場合、受信チャンネルが切換わり録画対象番組が出力され、録画が開始される。「録画しない」のボタンを選択した場合、受信チャンネルは切換わらず、録画は開始しない。これにより、現在出力されている番組を切換えてまで現在裏番組を録画することを望まない場合や、現在出力されている番組がコマーシャルになった場合等タイミングを見計らって改めて録画設定することを望む場合などに、ユーザにとって分かりやすく、簡単に希望する操作ができるようになる。
【００２１】
また、図６は録画再生装置の別の構成を例示する機能ブロック図である。図６における録画再生装置（０６００）は、「放送受信部」（０６０１）と、「録画部」（０６０３）と、「視聴出力部」（０６０２）と、「録画命令受付部」（０６０４）と、「判断部」（０６０５）と、「確認メッセージ出力部」（０６０６）と、を有する。また、確認メッセージ出力部（０６０６）は「第二出力手段」（０６０７）を有する。
【００２２】
「第二出力手段」（０６０７）は、確認メッセージ出力部が出力するメッセージとして、「受信する」、「受信しない」を選択するためのメッセージを出力する機能を有する。図５（ｂ）にその一例を示す。受信チャンネルの切換の確認メッセージに加え、録画対象番組である現在裏番組を受信するか否かを確認、選択させるメッセージを出力する。「受信する」のボタンを選択した場合、受信チャンネルが切換わり録画対象番組が出力される。「受信しない」のボタンを選択した場合、受信チャンネルは切換わらずもともと出力されていた番組がそのまま表示装置にて表示され、録画も開始しない。
【００２３】
なお、「受信する」のボタンを選択した場合、受信チャンネルが切換わり録画対象番組が出力されるに過ぎず、録画するか否かは別途録画設定するように構成されていてもよく、また、図５（ｂ）のように、出力された録画対象番組を自動的に録画を開始するように構成されていてもよい。後者の場合、再度録画設定する必要がないという点で、前者より使い勝手がよい。
【００２４】
また、図７は録画再生装置の別の構成を例示する機能ブロック図である。図７における録画再生装置（０７００）は、「放送受信部」（０７０１）と、「録画部」（０７０３）と、「視聴出力部」（０７０２）と、「録画命令受付部」（０７０４）と、「判断部」（０７０５）と、「確認メッセージ出力部」（０７０６）と、を有する。また、確認メッセージ出力部（０７０６）は「第三出力手段」（０７０７）を有する。
【００２５】
「第三出力手段」（０７０７）は、確認メッセージ出力部が出力するメッセージとして、「録画する」、「受信する」、「受信しない」を選択するためのメッセージを出力する機能を有する。図５（ｃ）にその一例を示す。受信チャンネルの切換の確認メッセージに加え、録画対象番組である現在裏番組を録画するか、受信するか否かを確認、選択させるメッセージを出力する。「録画する」のボタンを選択した場合、受信チャンネルが切換わり録画対象番組が出力され、録画が開始される。「受信する」のボタンを選択した場合、受信チャンネルが切換わり録画対象番組が出力されるに過ぎず、録画は未だ開始されない。「受信しない」のボタンを選択した場合、受信チャンネルは切換わらずもともと出力されていた番組がそのまま表示され、録画は開始されない。例えば、録画を希望する番組が野球中継の後に放送される場合であって、野球中継が延長しているか不明な場合など、受信チャンネルを切換え、出力してから録画するか否かを決定したい場合に有効である。
<実施形態１：ハードウェア上における処理の具体例>
【００２６】
図８は、録画再生装置のハードウェア構成の一例を示す。以下、図８を用いて録画再生装置におけるハードウェア上の処理動作について説明する。録画再生装置はチューナ（０８０７）を介して放送を受信し、接続された表示装置に放送を出力する。受信情報は不揮発性半導体メモリやハードディスク等の記憶装置（０８０１）に保持される。受信情報とは、受信しているチャンネルを特定できる情報であればよく、受信チャンネルのほか、受信コンテンツ名などでもよい。備え付けられているボタン等の操作部（０８０４）を介して、もしくは録画再生装置用のリモコンからリモコン通信インタフェース（０８０５）を介して操作信号が入力されることにより、録画命令を受付ける。受付けた録画命令は一旦、メインメモリ（０８０６）に格納された後、記憶装置（０８０１）に保持される。また、録画命令を受付けると、記憶装置（０８０１）に保持されている受信情報がメインメモリ（０８０６）に格納され、録画命令と比較される。これにより、録画対象番組が現在裏番組であると判断された場合には、メインメモリ（０８０６）に記憶されている受信チャンネルの切換の確認を含む趣旨のメッセージ画面情報が入出力インターフェース（０８０３）を介して外部の表示装置に出力される。録画対象番組が現在裏番組ではないと判断された場合には、チューナ（０８０７）を介して受信している放送番組が録画デバイス（０８０２）に録画される。また、これらの処理を実行するためのプログラムは記憶装置（０８０１）にあらかじめ保持されており、適宜、読み出されて実行される。
【００２７】
なお、図８を用いて説明したハードウェア上の処理はあくまで処理の概要を説明するものである。
【００２８】
<実施形態１：処理の流れ>
【００２９】
図９は、本実施形態に係る録画再生装置における処理の流れを示すフロー図を例示する
【００３０】
最初に、受信している放送番組を出力する（Ｓ０１０９）。次に、録画命令を受付ける（Ｓ０９０２）。録画命令で受付けた録画対象番組が現在裏番組であるか判断する（Ｓ０９０３）。ここでの判断が現在裏番組でない、すなわち、録画対象番組は現在受信している番組であると判断した場合には、ステップＳ０９０７に移行する。現在裏番組であると判断した場合には、受信チャンネル切換の確認メッセージを出力する（Ｓ０９０４、Ｓ０９０５）。確認メッセージにおいて、受信チャンネルの切換を選択しなかった場合には、処理は終了する。受信チャンネルの切換を選択した場合には、受信チャンネルが切換わり（Ｓ０９０６）、録画を実行する（Ｓ０９０７）。
【００３１】
なお、図９のフロー図は、計算機に実行させるプログラムの処理フロー図とみなすことも可能である。さらに、このようなプログラムをフレキシブルディスク等の媒体に記録することも可能である。（明細書の全体を通じて同様である。）
<実施形態１：効果>
【００３２】
本実施形態に係る録画再生装置によれば、一回の操作で受信チャンネルの切換え、及び現在裏番組の録画設定を処理できる。また、録画設定をした際に突然、現在視聴中のチャンネルが録画対象番組に切換わることを防ぐこともできる。
<<実施形態２>>
<実施形態２：概要>
【００３３】
本実施形態は、録画命令を受付け、その録画対象番組が現在放送中であってかつ現在受信している番組と異なると判断した場合に、視聴出力部に番組を出力していないチューナを利用して録画対象番組を受信、録画するように制御することを特徴とする録画再生装置について説明する。
<実施形態２：構成>
【００３４】
本実施形態に係る録画再生装置の機能ブロック図を図１０に示す。録画再生装置（１０００）は、「放送受信部」（１００１）と、「録画部」（１００３）と、「視聴出力部」（１００２）と、「録画命令受付部」（１００４）と、「判断部」（１００５）と、「制御部」（１００６）と、を有する。「放送受信部」（１００１）と「制御部」（１００６）以外の構成については前述したとおりであるので、ここでの説明は省略する。
【００３５】
「放送受信部」（１００１）は、放送により映像信号を受信する機能を有する。放送受信部で受信された番組は、録画部、視聴出力部、判断部、制御部に出力されるなどして利用される。なお、複数のチューナを備えている点で実施形態１の「放送受信部」と異なる。
【００３６】
「制御部」（１００６）は、判断部での判断結果が現在裏番組であるとの判断結果である場合に、視聴出力部に放送番組を出力していないチューナにて現在裏番組を受信するとともに受信した現在裏番組を録画するように放送受信部と録画部とを制御する機能を有する。これにより、前記放送受信部が備えているチューナ数に基づいて同時に一以上の裏録が可能となる。
【００３７】
なお、「制御部」は、判断部から判断結果を受け取るように構成されている。例えば、判断結果が現在裏番組であった場合は０１、現在裏番組ではなかった場合は１０という信号であってもよい。０１信号を受け取った場合には、制御部の内部のテーブルから０１に対応する命令を引き出す。この場合、０１に対応した命令は二つあり、一方は放送受信部、他方は録画部に送られる命令である。前者は、放送受信部のうち、出力していないチューナに現在裏番組を受信させる命令である。後者は、録画部に対して前記チューナが受信した現在裏番組を録画させる命令である。
【００３８】
また、録画再生装置は図１１のような構成であってもよい。すなわち、録画再生装置（１１００）は、「放送受信部」（１１０１）と、「録画部」（１１０３）と、「視聴出力部」（１１０２）と、「録画命令受付部」（１１０４）と、「判断部」（１１０５）と、「制御部」（１１０６）と、「確認メッセージ出力部」（１１０７）を有する。「確認メッセージ出力部」（１１０７）以外の構成については前述と同様であるので、ここでの説明は省略する。
【００３９】
「確認メッセージ出力部」（１１０７）は、実施形態１と同様に、判断部での判断結果が現在裏番組であるとの判断結果である場合には、受信チャンネルの切換の確認を含む趣旨のメッセージを出力する機能を有する。なお、本実施形態の録画再生装置は前述したとおり、裏録ができるように構成されている。そのため、受信チャンネルを現在裏番組に切換えなくても、現在裏番組を録画することは可能である。例えば、図１２の確認メッセージを出力する場合において、「いいえ」のボタンを選択した場合、視聴出力部に出力している番組はそのままで、視聴出力部に番組を出力していないチューナを利用して現在裏番組を受信し、録画を開始する。「はい」のボタンを選択した場合、受信チャンネルが切換わり、また録画も開始する。この場合、現在視聴中の番組に興味がないのであれば、使用チューナ数を減らすことで省電力となる。
【００４０】
また、このようなメッセージの出力は、録画命令を受付けた現在裏番組が二以上ある場合にのみ機能するように構成してもよい。
【００４１】
また、録画再生装置は図１３のような構成であってもよい。すなわち、録画再生装置（１３００）は、「放送受信部」（１３０１）と、「録画部」（１３０３）と、「視聴出力部」（１３０２）と、「録画命令受付部」（１３０４）と、「判断部」（１３０５）と、「制御部」（１３０６）と、「確認メッセージ出力部」（１３０７）を有する。また、「確認メッセージ出力部」（１３０７）は「第四出力手段」（１３０８）を有する。
【００４２】
「第四出力手段」（１３０８）は、確認メッセージ出力部が出力するするメッセージとして、「裏録する」、「録画する」、「受信する」、「受信しない」を選択するためのメッセージを出力する機能を有する。図１４にその一例を示す。受信チャンネルの切換の確認メッセージに加え、録画対象番組である現在裏番組を録画するか否かを確認、選択させるメッセージを出力する。「裏録する」のボタンを選択した場合、視聴出力部に出力している番組はそのままで、裏録を開始する。「録画する」のボタンを選択した場合、受信チャンネルが切換わり、また録画も開始する。「受信する」のボタンを選択した場合、受信チャンネルが切換わるに過ぎず、録画は未だ開始しない。「受信しない」のボタンを選択した場合、視聴出力部に出力している番組はそのままで、また録画も開始しない。すなわち、いづれか一のボタンで、出力チャンネルを切換えるか否か、及び録画するか否か、を選択することができる。また、「裏録する」のボタンを表示することで、裏録が可能であることをユーザに知らせることができる。
【００４３】
また、「裏録する」のボタンは、裏録が可能な場合にのみ表示するように構成してもよい。例えば、録画再生装置が地上デジタル放送に関しては二つのチューナを備え、ＢＳデジタル放送に関しては一つのチューナを備えている場合には、地上デジタル放送にのみ「裏録する」のボタンが表示される。
<実施形態２：ハードウェア上における処理の具体例>
【００４４】
図８を用いて録画再生装置におけるハードウェア上の処理動作について説明する。録画再生装置はチューナ（０８０７）を介して放送を受信し、接続された表示装置に放送を出力する。受信情報は不揮発性半導体メモリやハードディスク等の記憶装置（０８０１）に保持される。受信情報とは、受信しているチャンネルを特定できる情報であればよく、受信チャンネルのほか、受信コンテンツ名などでもよい。備え付けられているボタン等の操作部（０８０４）を介して、もしくは録画再生装置用のリモコンからリモコン通信インタフェース（０８０５）を介して操作信号が入力されることにより、録画命令を受付ける。受付けた録画命令は一旦、メインメモリ（０８０６）に格納された後、記憶装置（０８０１）に保持される。また、録画命令を受付けると、記憶装置（０８０１）に保持されている受信情報がメインメモリ（０８０６）に格納され、録画命令と比較される。これにより、録画対象番組が現在裏番組であると判断された場合には、メインメモリ（０８０６）に記憶されている受信チャンネルの切換の確認、及び録画の確認メッセージが入出力インターフェース（０８０３）を介して外部の表示装置に出力される。ここで受信チャンネルの切換及び録画を選択した場合、出力しているチューナ（０８０７）を介して受信チャンネルが切換わり、録画デバイス（０８０２）に録画される。また、受信チャンネルの切換はせず、録画を選択した場合、出力していないチューナ（０８０７）の情報と、録画命令がメインメモリ（０８０６）に格納され、裏録するように制御される。これにより、出力していないチューナ（０８０７）を介して録画対象番組が受信され、録画デバイス（０８０２）に録画される。録画対象番組が現在裏番組ではないと判断された場合には、チューナ（０８０７）を介して受信している放送番組が録画デバイス（０８０２）に録画される。また、これらの処理を実行するためのプログラムは記憶装置（０８０１）にあらかじめ保持されており、適宜、読み出されて実行される。
【００４５】
なお、図８を用いて説明したハードウェア上の処理はあくまで処理の概要を説明するものである。
<実施形態２：処理の流れ>
【００４６】
図１５から図１７は、本実施形態に係る録画再生装置における処理の流れを示すフロー図を例示する。
【００４７】
まず、図１５について説明する。最初に、受信している放送番組を出力する（Ｓ１５０１）。次に、録画命令を受付ける（Ｓ１５０２）。録画命令で受付けた録画対象番組が現在裏番組であるか判断する（Ｓ１５０３）。ここでの判断が現在裏番組でない場合には、ステップＳ１５０５に移行する。現在裏番組である判断した場合には、視聴出力部に番組を出力していないチューナを利用して現在裏番組を受信し（Ｓ１５０４）、録画を実行する（Ｓ１５０５）。
【００４８】
次に、図１６について説明する。最初に、受信している放送番組を出力する（Ｓ１６０１）。次に、録画命令を受付ける（Ｓ１６０２）。録画命令で受付けた録画対象番組が現在裏番組であるか判断する（Ｓ１６０３）。ここでの判断が現在裏番組でない場合には、ステップＳ１６０８に移行する。現在裏番組である判断した場合には、受信チャンネル切換の確認メッセージ（Ｓ１６０４、Ｓ１６０５）を出力する。受信チャンネル切換を選択した場合には、受信チャンネルが切換わり（Ｓ１６０７）、録画を実行する（Ｓ１６０８）。受信チャンネル切換を選択しなかった場合は、受信していないチューナを介して現在裏番組を受信し（Ｓ１６０６）、録画を実行する（Ｓ１６０８）。受信チャンネル切換を選択したが、録画を選択しない場合には、処理は終了する。
【００４９】
次に、図１７について説明する。最初に、受信している放送番組を出力する（Ｓ１７０１）。次に、録画命令を受付ける（Ｓ１７０２）。録画命令で受付けた録画対象番組が現在裏番組であるか判断する（Ｓ１７０３）。ここでの判断が現在裏番組でない場合には、ステップＳ１７０９に移行する。現在裏番組である判断した場合には、受信チャンネル切換の確認メッセージ（Ｓ１７０４、Ｓ１７０５）及び録画の確認メッセージ（Ｓ１７０７、Ｓ１７０８）を出力する。受信チャンネルの切換及び録画を選択した場合には、受信チャンネルが切換わり（Ｓ１７０６）、録画を実行する（Ｓ１７０９）。受信チャンネル切換を選択せず、裏録を選択した場合も録画を実行する（Ｓ１７０９）。受信チャンネル切換を選択したが、録画を選択しない場合には、処理は終了する。受信チャンネル切換を選択せず、更に裏録も選択しない場合にも、処理は終了する。
<実施形態２：効果>
【００５０】
本実施形態に係る録画再生装置によれば、現在視聴中の番組はそのままに、現在裏番組を録画することができる。また、録画設定の際に、受信チャンネルの切換えや、録画、裏録するか否かなどを、一回の操作で処理できる。
【図面の簡単な説明】
【００５１】
【図１】本発明に係る録画再生装置の概念図
【図２】実施形態１に係る録画再生装置の機能ブロック図
【図３】確認メッセージの一例図
【図４】実施形態１に係る録画再生装置の機能ブロック図
【図５】確認メッセージの一例図
【図６】実施形態１に係る録画再生装置の機能ブロック図
【図７】実施形態１に係る録画再生装置の機能ブロック図
【図８】録画再生装置のハードウェア上における処理動作の一例図
【図９】実施形態１に係る録画再生装置の処理の流れを示すフロー図
【図１０】実施形態２に係る録画再生装置の機能ブロック図
【図１１】実施形態２に係る録画再生装置の機能ブロック図
【図１２】確認メッセージの一例図
【図１３】実施形態２に係る録画再生装置の機能ブロック図
【図１４】確認メッセージの一例図
【図１５】実施形態２に係る録画再生装置の処理の流れを示すフロー図
【図１６】実施形態２に係る録画再生装置の処理の流れを示すフロー図
【図１７】実施形態２に係る録画再生装置の処理の流れを示すフロー図
【図１】
2009081573.tif 000003
【図２】
2009081573.tif 000004
【図３】
2009081573.tif 000005
【図４】
2009081573.tif 000006
【図５】
2009081573.tif 000007
【図６】
2009081573.tif 000008
【図７】
2009081573.tif 000009
【図８】
2009081573.tif 000010
【図９】
2009081573.tif 000011
【図１０】
2009081573.tif 000012
【図１１】
2009081573.tif 000013
【図１２】
2009081573.tif 000014
【図１３】
2009081573.tif 000015
【図１４】
2009081573.tif 000016
【図１５】
2009081573.tif 000017
【図１６】
2009081573.tif 000018
【図１７】
2009081573.tif 000019